(57)【特許請求の範囲】
【請求項１】
受信周波数と送信周波数との間に所定の周波数差を持たせたスプリット運用可能な無線機において、
メイン側およびサブ側の２つの受信回路と、
前記スプリット運用への切換えを行う操作手段と、
前記操作手段への操作に応答し、前記メイン側の受信回路に設定されている周波数を、サブ側の受信回路の受信周波数および送信周波数に設定するとともに、前記サブ側の受信回路に受信を開始させる通信制御手段とを含むことを特徴とする無線機。
【発明の詳細な説明】
【技術分野】
【０００１】
本発明は、無線機に関し、特に受信周波数と送信周波数との間に所定の周波数差を持たせたスプリット運用可能な無線機に関する。
【背景技術】
【０００２】
アマチュア無線用トランシーバーなどにおいて、特にアマチュア無線のＨＦ帯においては、１対１の通信であっても、上記のように、受信周波数と送信周波数との間に所定の周波数差を持たせる、所謂スプリット運用が行われることがある。このような運用は、たとえば或る局からの通信の呼び掛け（ＣＱ）に対して、交信を希望する多くの相手先からの応答を干渉しないようにして、適宜交信を許可する相手先を指定してゆくようなケースで行われる。具体的に、Ａ局がＣＱを出して交信相手を探す場合、そのＡ局と交信することを希望する相手局が複数となる可能性が高い場合に、Ａ局の送信周波数をＦ、たとえば５０ＭＨｚとすると、Ａ局は、その周波数からΔＦ、たとえば１ｋＨｚ、２ｋＨｚ、５ｋＨｚ、或いは１０ｋＨｚ高いＦ＋ΔＦの周波数で受信することを宣言した後、そのＦ＋ΔＦの周波数で応答を待ち、その周波数で応答して来たＢ，Ｃ，Ｄの中の１局に対して交信の許可を指示するようなケースである。
【０００３】
したがって、このようなスプリット運用を行う際には、Ｆ＋ΔＦの周波数でＢ，Ｃ，Ｄの３つの相手局がＡ局を呼ぶことになるので、相手局が送信するタイミングよっては、３つの送信電波が同時に発射されてしまい、Ａ局ではこれら３局の信号が混信して了解し難い状況となることもある。そのため、交信を希望する３つの相手局は、互いに混信し難いタイミングを見計らい、Ａ局を呼ぶことが交信を成立させるコツとなる。
【０００４】
そのため、従来は、スプリット運用中に、前記タイミングを見計らうために、送信しようとする周波数を受信したい場合は、所定のスイッチなどを操作して、送信周波数を一時的に受信周波数に設定することが行われていた。しかしながら、操作が煩雑であるとともに、周波数の変更による受信回路の応答の遅れなどから、応答の機会を逃したりする（他局に先を越される）こともある。そのため、一層の操作性の向上には、Ｂ，Ｃ，Ｄ局、たとえばＢ局は、Ａ局の送信周波数Ｆと、他局、すなわちＣ，Ｄ局の送信（応答）する周波数Ｆ＋ΔＦとを同時に受信することが望ましい。
【０００５】
そこでこのような要求を満たすために、前記スプリット運用が可能であるとともに、メインおよびサブの２つの受信回路を備え、２つの周波数を同時に受信する、所謂２波同時受信機能を備える無線機（送受信機）が、たとえば特許文献１で示すように提案されている。
【先行技術文献】
【特許文献】
【０００６】
【特許文献１】特許第３２６８１１４号公報
【発明の概要】
【発明が解決しようとする課題】
【０００７】
上記２波同時受信機能を備える無線機においても、相手局が定まった通常の通話には、送受信が同じ周波数で運用されるので、上記２波同時受信機能もスプリット機能もＯＦＦとして運用されている。したがって、スプリット機能が必要となった場合、スプリット機能をＯＮする操作と２波同時受信機能をＯＮする操作との２つの操作が必要となり、交信機会を得るための初動に遅れを生じることがある。
【０００８】
本発明の目的は、操作性を向上することができる無線機を提供することである。
【課題を解決するための手段】
【０００９】
本発明の無線機は、受信周波数と送信周波数との間に所定の周波数差を持たせたスプリット運用可能な無線機において、メイン側およびサブ側の２つの受信回路と、前記スプリット運用への切換えを行う操作手段と、前記操作手段への操作に応答し、前記メイン側の受信回路に設定されている周波数を、サブ側の受信回路の受信周波数および送信周波数に設定するとともに、前記サブ側の受信回路に受信を開始させる通信制御手段とを含むことを特徴とする。
【００１０】
上記の構成によれば、受信周波数と送信周波数との間に所定の周波数差を持たせることで、たとえば通信の呼び掛け（ＣＱ）に対する応答を干渉しないようすることが可能なスプリット運用可能な無線機において、メイン側およびサブ側の２つの受信回路を備えることで、所謂２波同時受信機能を実現するにあたって、前記メイン側の受信回路で受信を行っている状態で、前記スプリット運用への切換えを行う操作手段が操作されると、通信制御手段は、前記メイン側の受信回路に設定されている周波数を、たとえば休止しているサブ側の受信回路の受信周波数および送信周波数に設定するとともに、そのサブ側の受信回路に受信させる。
【００１１】
したがって、スプリット運用を必要とされる状況において、その運用を開始するスプリット機能をＯＮさせる操作を行うだけで、サブ側の受信回路もＯＮさせ、そのサブ側の受信周波数および送信周波数に、メイン側の受信回路で受信を行っている（運用している）周波数をコピーし、所謂２波同時受信機能を実現するにあたっての準備を、素早く自動的に行うことができる。その後、使用者が、サブ側の受信周波数および送信周波数を、設定（コピー）されたメイン側の受信周波数から、前記所定の周波数差だけずらすことで、２波同時受信を開始することができる。こうして、スプリット運用を行うにあたって、送信周波数の状況を確認するために操作性を向上し、交信機会を得易くすることができる。
【発明の効果】
【００１６】
本発明の無線機は、以上のように、受信周波数と送信周波数との間に所定の周波数差を持たせるスプリット運用可能な無線機において、２つの受信回路を備えることで所謂２波同時受信機能を実現するにあたって、メイン側の受信回路で受信を行っている状態で、前記操作手段が操作されると、通信制御手段は、サブ側の受信回路を起動して、メイン側の受信周波数または送信周波数での受信を開始させる。
【００１７】
それゆえ、スプリット運用を必要とされる状況において、その運用を開始するスプリット機能をＯＮさせる操作を行うだけで、素早く自動的に、２波同時受信機能もＯＮさせることができ、操作性を向上し、交信機会を得易くすることができる。
【図面の簡単な説明】
【００１８】
【図１】本発明の実施の一形態に係る無線機における受信側の構成で、本発明に係る部分を抽出して示すブロック図である。
【図２】前記無線機におけるスプリット機能および２波同時受信機能を説明するための表示装置の表示例を示す図である。
【図３】前記無線機におけるスプリット機能を説明するためのフローチャートである。
【発明を実施するための形態】
【００１９】
図１は、本発明の実施の一形態に係る無線機１における受信側の構成で、本発明に係る部分を抽出して示すブロック図である。この無線機１は、たとえば前記アマチュア無線のＨＦ帯の通信に用いられる。この無線機１は、メイン側の受信回路として機能することができる周波数変換回路２と、サブ側の受信回路として機能することができる周波数変換回路３と、１つの送信回路を備えて構成され、前記のスプリット機能および２波同時受信機能を備えている。
【００２０】
アンテナ４で受信された信号（結果的にＭＡＩＮ  ＲＸＲＦおよびＳＵＢ  ＲＸＲＦとなる）は、２つの周波数変換回路２，３に共通に入力され、それぞれ異なる周波数の局部発振信号（ＬＯ１，ＬＯ２）で周波数変換されることで、メインバンドの中間周波数信号（ＭＡＩＮ  ＲＸＩＦ）およびサブバンドの中間周波信号（ＳＵＢ  ＲＸＩＦ）として出力される。そのため、各周波数変換回路２，３は、局部発振回路２１，３１、混合器２２，３２およびスイッチ２３，３３を備えている。
【００２１】
局部発振回路２１，３１からの局部発振信号（ＬＯ１，ＬＯ２）は、送信側での周波数変換にも用いられる（ＴＸ  ＬＯ）ので、プレストークスイッチなどの操作に応答して切換えられるスイッチ２３，３３を介して、受信時には混合器２２，３２に与えられる。混合器２２，３２からの中間周波数信号（ＭＡＩＮ  ＲＸＩＦ，ＳＵＢ  ＲＸＩＦ）は、共通にまたは個別に設けられる図示しない２段目の周波数変換回路で周波数変換された後、音声信号に復調処理されて、スピーカなどから出力される。
【００２２】
各周波数変換回路２，３における局部発振回路２１，３１のＯＮ／ＯＦＦおよび発振周波数、ならびにスイッチ２３，３３の切換えは、送受信を制御する通信制御手段である制御回路５によって制御される。制御回路５は、スイッチ２３，３３を、共に受信のために混合器２２，３２側に切換えるか、送信の際は、上述のように送信回路は１つであるので、択一的に送信回路側に切換える。また、制御回路５は、表示装置１１に表示信号を出力するとともに、メインダイヤル１２、サブダイヤル１３、送信モニタスイッチ１４、スプリットスイッチ１５および２波同時受信スイッチ１６などからの入力を受付ける。
【００２３】
上述のように構成される無線機１において、２波同時受信機能もスプリット機能もＯＦＦの状態、たとえば送信と受信とを同じ周波数に設定しての相手局との交信中などでは、制御回路５は、サブ側の局部発振回路３１を停止させ、メイン側の局部発振回路２１を、メインダイヤル１２で設定された周波数Ｆで動作させ、前記プレストークスイッチなどの操作に応答してスイッチ２３を切換えることで、相手局との交信を可能にする。この状態での表示装置１１での表示例を、図２（ａ）で示す。表示装置１１の向かって左側のメインバンドに関する表示には、送受信の周波数が、前記周波数Ｆとしての１４．１００（ＭＨｚ）で、ＵＳＢモードでの通信を行っていることを示しており、向かって右側のサブバンドに関する表示は行われていない。
【００２４】
そして、送信と受信とを同じ周波数に設定しての相手局との交信中の図２（ａ）の状態などから、スプリットスイッチ１５が第１の態様で操作されると、制御回路５は、サブ側の局部発振回路３１を動作させてサブダイヤル１３で設定された周波数Ｆ’で発振させ、スイッチ３３を送信回路側に切換えて、サブバンドでの送信を可能にして、スプリット運用を開始する。
【００２５】
また、スプリットスイッチ１５が第２の態様で操作されると、制御回路５は、サブ側の局部発振回路３１を動作させて、メインダイヤル１２で設定された、すなわちメインバンドの受信周波数Ｆで発振を開始させるとともに、送信スイッチ３３を送信回路側に切換えて、サブバンドでの送信を可能にして、スプリット運用を開始する。その後に、使用者が前記サブダイヤル１３で所定の周波数差ΔＦを調整することで、前記サブダイヤル１３での周波数Ｆ’の設定無しでも、短時間で所望の送信周波数Ｆ＋ΔＦに調整可能となっている。
【００２６】
なお、第１の態様と第２の態様とは、スプリットスイッチ１５の操作時間によって決定され、たとえば短押しで前者、長押しで後者とされるが、個別（２つ）のスプリットスイッチ１５が設けられてもよい。
【００２７】
このスプリット運用状態で、たとえば送信モニタスイッチ１４が操作されると、制御回路５は、局部発振回路２１を、前記サブダイヤル１３で設定された周波数Ｆ’で発振させて、メイン側で、サブバンドに設定された送信周波数のモニタを可能にする。この状態での表示装置１１での表示例は、上述の図２（ａ）と同様に、表示装置１１の向かって左側に行われる。
【００２８】
一方、送信と受信とを同じ周波数に設定しての相手局との交信中の図２（ａ）の状態などから、２波同時受信スイッチ１６が操作されると、制御回路５は、サブ側の局部発振回路３１を動作させ、サブダイヤル１３で設定された周波数Ｆ’で発振させて、サブバンドのモニタも可能にする。この状態での表示装置１１での表示例を、図２（ｃ）で示す。表示装置１１の向かって左側のメインバンドに関する表示とともに、右側にサブバンドに関する表示が行われ、受信周波数が、前記周波数Ｆ’としての１４．１１０（ＭＨｚ）で、電波型式がＵＳＢモードでの通信を行っていることを示している。前記サブダイヤル１３での周波数Ｆ’の設定時には、他の釦操作などで、電波型式の設定も行われる。
【００２９】
なお、２波同時受信スイッチ１６が操作されると、制御回路５は、スイッチ３３を混合器３２側に固定、すなわちサブ側の局部発振回路３１は受信用に固定したまま、送信を行う際は、スイッチ２３を送信回路側に切換える。このように、本実施形態の無線機１は、受信回路は２つ備えるものの、送信回路は１つであるので、送信はメインバンドでしか行うことはできない。そのため、前記スプリットスイッチ１５や他の操作手段への操作によって、制御回路５は、一時的に、或いは継続的に、メインバンドとサブバンドとを入替え、送信を行えるようにしてもよい。
【００３０】
そして、本実施形態の無線機１で注目すべきは、たとえば送信と受信とを同じ周波数に設定しての相手局との交信中の図２（ａ）で示す表示周波数で他局の信号をモニタしていた利用者が、送信局に興味を示すなどして送信（交信）を希望する場合、スプリットスイッチ１５を第３の態様で操作するだけで、制御回路５は、スプリット機能および２波同時受信機能をＯＮすることである。つまり、スプリットスイッチ１５を操作するだけで、制御回路５は、２波同時受信スイッチ１６も操作されたのと等価な動作状態とする。
【００３１】
すると、サブダイヤル１３で予め設定されている周波数Ｆ’および電波型式でサブバンドの受信が開始され、必要に応じて、利用者は、サブダイヤル１３等の操作によって、周波数Ｆ’および電波型式の調整を行うことができる。
【００３２】
或いは、事前にサブダイヤル１３から周波数Ｆ’を設定しておくのではなく、スプリットスイッチ１５が操作されると、制御回路５は、サブバンドの周波数Ｆ’に、一旦（仮に）メインバンドの周波数Ｆを設定し、その後に、使用者がサブダイヤル１３等の操作によって、メインバンドの周波数Ｆとの周波数差であるΔＦ分だけ調整し、目標とする周波数Ｆ’を設定するようにしてもよい。そうすることで、メインバンドの周波数Ｆを逐次変更している最中に、スプリット運用に切換えても、周波数差ΔＦ分だけ調整することで、前記サブバンドの周波数Ｆ’を、容易に設定することができる。
【００３３】
一方、スプリット運用に切換えた際、前述のように、応答を待つ周波数が、Ｆ＋ΔＦ、たとえばΔＦ＝１０ｋＨｚ等の使用頻度の高い周波数差ΔＦの場合には、一旦、図２（ｂ）で示すように、サブバンドの受信周波数および送信周波数にはメインバンドの受信周波数Ｆがコピーされ、さらにその受信周波数Ｆに、サブダイヤル１３等で予め設定された所定の周波数差ΔＦだけずらす操作が行われて、図２（ｃ）で示す状態に、自動的に遷移するようにしてもよい。なお、予め設定しておく前記周波数差ΔＦは、サブダイヤル１３による設定ではなく、メニュー画面から設定してもよい。
【００３４】
図３は、そのような自動による好ましい動作状態の切換え動作を説明するためのフローチャートである。メインバンドの受信、すなわち制御回路５が、サブ側の局部発振回路３１を停止させ、メイン側の局部発振回路２１を、メインダイヤル１２で設定された周波数Ｆで動作させている状態（図２（ａ）で示す）で、スプリットスイッチ１５が第３の態様で操作されると、ステップＳ１に移り、制御回路５は、以下の（１）〜（３）の設定を一括して行う。
【００３５】
（１）サブバンド側の送信周波数を、前記メインダイヤル１２によって設定されているメインバンド側の受信周波数Ｆと同じ周波数に設定する。
【００３６】
（２）サブバンド側の受信周波数も、前記メインダイヤル１２によって設定されているメインバンド側の受信周波数Ｆと同じ周波数に設定（周波数をコピー）する。
【００３７】
（３）サブバンド側の受信回路に、メインバンド側の受信電波型式を設定（コピー）し、メインバンドおよびサブバンド共に、受信状態に設定する。こうして、スプリット機能および２波同時受信機能がＯＮになった直後での表示装置１１での表示例は、前記の図２（ｂ）で示す通りである。すなわち、表示装置１１の向かって左側のメインバンドに関する表示とともに、右側にサブバンドに関する表示が行われ、受信周波数が、メインバンドと同じ（コピーされて）、前記周波数Ｆとしての１４．１００（ＭＨｚ）で、電波型式も同じ（コピーされて）ＵＳＢモードでの通信を行っていることを示している。
【００３８】
その後、ステップＳ２において、制御回路５は、以下の（４），（５）の設定を一括して行った後、スプリット機能を実現するための各部の動作変更の処理を終了する。（４）送信回路の送信周波数（スイッチ３３が送信回路側に切換えられている状態における局部発振回路３１の局部発振信号ＬＯ２（ＴＸＬＯ）の周波数）を、前記メインダイヤル１２によって設定されているメインバンド側の受信周波数Ｆに、サブダイヤル１３の設定による所定の周波数差ΔＦ、たとえば＋１０ｋＨｚの周波数だけずらした周波数を設定する。前記所定の周波数差ΔＦは、上述の（３）の後、サブダイヤル１３を操作することで設定してもよいし、使用頻度の高い周波数差を予め設定しておき、その使用頻度の高い周波数差を周波数差ΔＦとしてもよい。
【００３９】
（５）サブ側の受信周波数Ｆ’、すなわちスイッチ３３が混合器３２側に切換えられている状態における局部発振回路３１の局部発振信号ＬＯ２の周波数も、前記周波数Ｆ＋ΔＦに設定する。この状態での表示装置１１での表示例は、前述の図２（ｃ）で示す通りである。
【００４０】
以上のように、本実施形態の無線機１では、受信周波数（ＲＸＲＦ）Ｆと送信周波数（ＴＸＲＦ）Ｆ’との間に所定の周波数差ΔＦを持たせたスプリット運用可能な無線機において、２つの受信回路（周波数変換回路２，３）を備えることで２波を同時に受信可能な２波同時受信機能を実現するにあたって、通信動作を制御する制御回路５は、スプリットスイッチ１５への第３の態様の操作に応答して、受信周波数Ｆで受信を行っているメインバンドの受信回路（周波数変換回路２（ＬＯ１））に加えて、サブバンドの受信回路（周波数変換回路３（ＬＯ２））へ、送信周波数Ｆ’での受信を開始させる。
【００４１】
したがって、スプリット運用を必要とされる状況において、その運用を開始するスプリットスイッチ１５の操作を行うだけで、素早く自動的に、送信周波数Ｆ’の設定と合わせて、その送信周波数Ｆ’の状況を確認するためにサブ側受信回路もＯＮさせて、２波同時受信スイッチ１６を操作したのと同じ状況を実現でき、操作性を向上することができる。これによって、交信機会を得易くすることができる。
【００４２】
好ましくは、本実施形態の無線機１では、スプリットスイッチ１５に第３の態様の操作が行われ、スプリット運用を開始する際は、制御回路５は、メインダイヤル１２で設定されたメインバンド側の受信回路（周波数変換回路２）での受信周波数Ｆ（＝ＭＡＩＮ  ＲＸＲＦ（ＬＯ１））はそのままに、送信回路の送信周波数（ＴＸＬＯ）およびサブバンド側の受信回路（周波数変換回路３）の受信周波数（ＳＵＢ  ＲＸＲＦ（ＬＯ２））に、一旦、メインバンド側の受信周波数Ｆを設定（コピー）した後、さらにサブダイヤル１３の設定による周波数差ΔＦ分、ずれた周波数Ｆ＋ΔＦを設定するので、サブダイヤル１３の設定によって周波数差ΔＦを予め設定しておいたり、或いは受信中にその周波数差ΔＦを調整（変更）したりすることができるとともに、メインダイヤル１２での設定がそのままコピーされて、サブバンド側の受信周波数（ＳＵＢ  ＲＸＲＦ（ＬＯ２））が大まかに設定されるので、操作が容易である。
【００４３】
なお、スプリットスイッチ１５の第３の態様の操作としては、第２の態様の長押しよりもさらに長い時間の長押しなどが考えられるが、本発明の目的が短時間操作であるので、たとえば事前の設定によって、長押しの場合、第２の態様の動作（受信周波数を送信周波数にコピーするスプリット動作）と、第３の態様の動作（スプリットおよび２波同時受信機能のＯＮ）との何れかを選択するようにしてもよい。
【符号の説明】
【００４４】
１    無線機
２，３  周波数変換回路
２１，３１    局部発振回路
２２，３２    混合器
４    アンテナ
５    制御回路
１１    表示装置
１２    メインダイヤル
１３    サブダイヤル
１４    送信モニタスイッチ
１５    スプリットスイッチ
１６    ２波同時受信スイッチ
【図１】
0006459719.tif 000002
【図２】
0006459719.tif 000003
【図３】
0006459719.tif 000004